(57)【要約】      （修正有）【課題】マルチフィルム敷設装置の畝に対する姿勢を容易に調整できるマルチャを提供する。【解決手段】ロータリ４の機枠１２に、爪軸１３回りに上下揺動自在で且つ任意の揺動位置で固定自在に第２の機枠３８を取り付け、第２の機枠３８に畝整形器５とマルチフィルム敷設装置６とを設け、ゲージ輪６２の高さを調整する高さ調整装置７１の第１の係合部７８と、第２の機枠３８の第２の係合部８２とに亘って設けられるロックプレート７９を備え、このロックプレート７９は第１、第２の係合部７８，８２に係合する係合孔８０Ａ，８０Ｂを有し、第２の機枠３８に、不使用時にロックプレート７９を左右軸廻りに回動自在に支持する支持部８３と、該支持部８３に支持された状態のロックプレート７９の係合孔８０Ｂに挿通する指示部材８６とを設け、指示部材８６と係合孔８０Ｂとの位置関係により、マルチフィルム敷設装置６の姿勢が適正姿勢であるか否かが指示される。【選択図】図１
2006197820.tif 000002
【特許請求の範囲】
【請求項１】
走行体（２）に上下揺動自在に取り付けられて上下位置調整自在とされたマルチフィルム敷設装置（６）を備え、このマルチフィルム敷設装置（６）の圃場に対する姿勢が適正姿勢であるか否かを指示するインジケータ（７９）を備えていることを特徴とするマルチャ。
【請求項２】
走行体（２）に装着される第１の機枠（１２）に、該第１の機枠（１２）に対して上下揺動自在で且つ任意の揺動位置で固定自在な第２の機枠（３８）を取り付け、この第２の機枠（３８）に、圃場にマルチフィルム（Ｆ）を敷設するマルチフィルム敷設装置（６）を備え、前記第１の機枠（１２）に対する第２の機枠（３８）の上下揺動位置を変更することにより、圃場に対するマルチフィルム敷設装置（６）の姿勢を調整可能としていることを特徴とする請求項１に記載のマルチャ。
【請求項３】
インジケータ（７９）は、第２の機枠（３８）の上下揺動に伴って該第２の機枠（３８）に対して相対的に揺動するように該第２の機枠（３８）に枢支され、前記第２の機枠（３８）に、インジケータ（７９）に設けられた係合孔（８０Ｂ）を挿通する指示部材（８６）を設け、この指示部材（８６）と前記係合孔（８０Ｂ）との位置関係によりマルチフィルム敷設装置（６）の圃場に対する姿勢が分かることを特徴とする請求項１又は２に記載のマルチャ。
【請求項４】
マルチャの高さを決定するゲージ部材（６２）の高さを調整する高さ調整装置（７１）を備え、第２の機枠（３８）を第１の機枠（１２）に対して揺動可能とした状態で高さ調整装置（７１）を作動させることにより第２の機枠（３８）が第１の機枠（１２）に対して上下に揺動動作するように、高さ調整装置（７１）と第２の機枠（３８）とに亘って設けられるロックプレート（７９）を備え、このロックプレート（７９）で前記インジケータ（７９）が構成されていることを特徴とする請求項３に記載のマルチャ。
【請求項５】
トラクタ（２）の後部に装着されるロータリ（４）を備え、このロータリ（４）の機枠（１２）に、左右軸回りに上下揺動自在で且つ任意の揺動位置で固定自在に第２の機枠（３８）を取り付け、この第２の機枠（３８）に畝整形器（５）とマルチフィルム敷設装置（６）とを設け、前記ロータリ（４）の高さを決定するゲージ部材（６２）の高さを調整する高さ調整装置（７１）を備え、第２の機枠（３８）をロータリ機枠（１２）に対して揺動可能とした状態で高さ調整装置（７１）を作動させることにより第２の機枠（３８）がロータリ機枠（１２）に対して上下に揺動動作するように、高さ調整装置（７１）に設けられた第１の係合部（７８）と、第２の機枠（３８）に設けられた第２の係合部（８２）とに亘って設けられるロックプレート（７９）を備え、このロックプレート（７９）は前記第１、第２の係合部（７８，８２）に係合する係合孔（８０Ａ，８０Ｂ）を有し、第２の機枠（３８）に、前記ロックプレート（７９）の不使用時に該ロックプレート（７９）を左右軸廻りに回動自在に支持する支持部（８３）と、この支持部（８３）に支持された状態のロックプレート（７９）の係合孔（８０Ｂ）に挿通する指示部材（８６）とを設け、この指示部材（８６）とロックプレート（７９）の係合孔（８０Ｂ）との位置関係により、マルチフィルム敷設装置（６）の圃場に対する姿勢が適正姿勢であるか否かが指示されるように構成されていることを特徴とするマルチャ。
【発明の詳細な説明】
【技術分野】
【０００１】
本発明は、トラクタ等に装着されて移動しながら圃場にマルチフィルムを敷設するマルチャに関するものである。
【背景技術】
【０００２】
従来、トラクタに装着されて、圃場を移動しながら、耕耘作業と、畝立て作業と、マルチフィルムの敷設作業とを一工程で同時に行うようにした畝立てマルチャがある（特許文献１参照）。
このマルチャは、トラクタの後部に装着されるロータリを備え、このロータリの機枠に、ロータリの爪軸回りに上下揺動自在で且つ任意の揺動位置で固定自在に第２の機枠を取り付け、この第２の機枠に畝整形器とマルチフィルム敷設装置とを設けてなる。
また、このマルチャには、前記ロータリの高さを決定するゲージ部材と、このゲージ部材の高さを調整する高さ調整装置とが設けられている。
【０００３】
このマルチャにあっては、装着されるトラクタの大きさ、姿勢、耕深、畝高さ等によって、マルチフィルム敷設装置の圃場に対する姿勢が変わる。
マルチフィルム敷設装置の畝に対する姿勢が適正姿勢でないと、畝にマルチフィルムを良好に張れないという問題が生じる。
そこで、このマルチャにあっては、第２の機枠をロータリの機枠に対して揺動可能とした状態で高さ調整装置を作動させることにより第２の機枠がロータリ機枠に対して上下に揺動動作するように、高さ調整装置と第２の機枠とに亘って設けられるロックプレートが備えられており、第２の機枠をロータリ機枠に対して揺動位置調整することにより、マルチフィルム敷設装置の圃場に対する姿勢が調整できるように構成されている。
【特許文献１】特開２００４−６５０２４号公報
【発明の開示】
【発明が解決しようとする課題】
【０００４】
前記従来のマルチャにあっては、マルチフィルム敷設装置の畝に対する姿勢調整は目視で行っており、マルチフィルム敷設装置が畝に対して適正姿勢であるか否かを目視で判断するのは難しく、また、マルチフィルム敷設装置の畝に対する姿勢が適正でない場合、出来た畝をみて再度調整するという作業が必要であるという問題がある。
そこで、本発明は、前記問題点に鑑みて、マルチフィルム敷設装置の圃場に対する姿勢を容易に適正姿勢にすることができるマルチャを提供することを目的とする。
【課題を解決するための手段】
【０００５】
前記技術的課題を解決するために本発明が講じた技術的手段は、走行体に上下揺動自在に取り付けられて上下位置調整自在とされたマルチフィルム敷設装置を備え、このマルチフィルム敷設装置の圃場に対する姿勢が適正姿勢であるか否かを指示するインジケータを備えていることを特徴とする。
また、走行体に装着される第１の機枠に、該第１の機枠に対して上下揺動自在で且つ任意の揺動位置で固定自在な第２の機枠を取り付け、この第２の機枠に、圃場にマルチフィルムを敷設するマルチフィルム敷設装置を備え、前記第１の機枠に対する第２の機枠の上下揺動位置を変更することにより、圃場に対するマルチフィルム敷設装置の姿勢を調整可能となるように構成してもよい。
【０００６】
また、インジケータは、第２の機枠の上下揺動に伴って該第２の機枠に対して相対的に揺動するように該第２の機枠に枢支され、前記第２の機枠に、インジケータに設けられた係合孔を挿通する指示部材を設け、この指示部材と前記係合孔との位置関係によりマルチフィルム敷設装置の圃場に対する姿勢が分かるように構成されてもよい。
また、マルチャの高さを決定するゲージ部材の高さを調整する高さ調整装置を備え、第２の機枠を第１の機枠に対して揺動可能とした状態で高さ調整装置を作動させることにより第２の機枠が第１の機枠に対して上下に揺動動作するように、高さ調整装置と第２の機枠とに亘って設けられるロックプレートを備え、このロックプレートで前記インジケータが構成されているのがよい。
【０００７】
また、他の技術的手段は、トラクタの後部に装着されるロータリを備え、このロータリの機枠に、左右軸回りに上下揺動自在で且つ任意の揺動位置で固定自在に第２の機枠を取り付け、この第２の機枠に畝整形器とマルチフィルム敷設装置とを設け、前記ロータリの高さを決定するゲージ部材の高さを調整する高さ調整装置を備え、第２の機枠をロータリ機枠に対して揺動可能とした状態で高さ調整装置を作動させることにより第２の機枠がロータリ機枠に対して上下に揺動動作するように、高さ調整装置に設けられた第１の係合部と、第２の機枠に設けられた第２の係合部とに亘って設けられるロックプレートを備え、このロックプレートは前記第１、第２の係合部に係合する係合孔を有し、第２の機枠に、前記ロックプレートの不使用時に該ロックプレートを左右軸廻りに回動自在に支持する支持部と、この支持部に支持された状態のロックプレートの係合孔に挿通する指示部材とを設け、この指示部材とロックプレートの係合孔との位置関係により、マルチフィルム敷設装置の圃場に対する姿勢が適正姿勢であるか否かが指示されるように構成されていることを特徴とする。
【発明の効果】
【０００８】
本発明によれば、マルチフィルム敷設装置の圃場に対する姿勢を容易に適正姿勢にすることができる。
【発明を実施するための最良の形態】
【０００９】
以下、本発明の実施の形態を図面を参照して説明する。
図１〜図３において、１はマルチャとして例示する畝立てマルチャであり、この畝立てマルチャ１は、走行体として例示するトラクタ２に、三点リンクヒッチ機構３（または２点ヒッチ機構等のヒッチ機構）を介して装着され、圃場を移動しながら、ロータリ耕耘作業と、畝立て作業と、マルチフィルムＦの敷設作業とを一工程で同時に行うものである。
この畝立てマルチャ１は、ロータリ４と、畝整形器５と、マルチフィルム敷設装置６とを備えており、ロータリ４がトラクタ２の後部に装着されていると共に、該ロータリ４に畝整形器５と、マルチフィルム敷設装置６とが支持されている。
【００１０】
ロータリ４は、本実施の形態ではセンタードライブ式ロータリが採用されており、該ロータリ４は、ギヤケース７と、このギヤケース７から下方に突出する伝動ケース８と、この伝動ケース８の下部に設けられたロータリ耕耘部９と、このロータリ耕耘部９を覆うロータリカバー１０とを有する。
前記ギヤケース７の左右両側にはサポートアーム１１が突設され、ギヤケース７と伝動ケース８とサポートアーム１１等とで、ロータリ４の機枠１２（ロータリ機枠、第１の機枠）を構成している。
【００１１】
前記ロータリ耕耘部９は、伝動ケース８の下部から左右両側に突出されていて左右方向の軸心回りに回転自在に支持された左右一対の爪軸１３と、この爪軸１３上に取付固定された多数の耕耘爪１４とを有し、爪軸１３を、左右軸回りに第１、２図で符号Ａで示す方向に回転駆動することにより、耕耘爪１４が爪軸１３回りに回転して土中に突入し、土が耕起されると共に砕土されて後方に放てきされるように構成されている。
前記ギヤケース７には、トラクタ２のＰＴＯ軸１６にユニバーサルジョイントを介して連動連結されるＰＩＣ軸１７が設けられ、このＰＩＣ軸１７によってＰＴＯ軸１６からギヤケース７内の伝動機構に動力が伝達され、このギヤケース７に入力された動力は伝動ケース８内の動力伝動機構を介して爪軸１３に伝達され、該動力により該爪軸１３が矢示Ａ方向に回転駆動される。
【００１２】
また、ギヤケース７にはトップマスト１３が上方突出状に設けられていると共に、このトップマスト１３の下部から前方側に突出状に上連結ブラケット１９が設けられ、この上連結ブラケット１９には上連結ピン２０が設けられている。
前記左右各サポートアーム１１の外端には下連結ブラケット２１が固定され、左右各下連結ブラケット２１には下連結ピン２２が固定されている。
一方、トラクタ２の後部に取り付けられた三点リンクヒッチ機構３の後端側には、トップリンク２３の後端側と左右ロワーリンク２４の後端側とを連結して三点リンクヒッチ機構３に定形を与える連結フレーム２５が取り付けられており、この連結フレーム２５は、前記上連結ブラケット１９の上連結ピン２０に係脱自在に係合していると共に、前記左右各下連結ブラケット２１の下連結ピン２２に着脱自在に連結している。
【００１３】
また、トラクタ２の後部には作業機昇降用の油圧装置２６が設けられ、この油圧装置２６の左右両側にはリフトアーム２７の基部が左右軸回りに回動自在に設けられ、左右各リフトアーム２７の先端側は、リフトロッド２８を介して左右ロワーリンク２４に連結されており、油圧装置２６によってリフトアーム２７及びリフトロッド２８を介して左右ロワーリンク２４をトラクタ側取付点回りに上下に揺動させることにより、トラクタ２に対してマルチャ１が昇降自在とされている。
前記ロータリカバー１０は、ロータリ耕耘部９の上方を覆う上部カバー３１と、ロータリ耕耘部９の上部の左右両側を覆う側部カバー３２とを有し、側部カバー３２は上部カバー３１に一体形成されている。
【００１４】
このロータリカバー１０は取付手段３３によって、ロータリ機枠１２に対して爪軸１３の軸心を中心として回動自在で且つ任意の回動位置で固定可能に、該ロータリ機枠１２に取り付けられている。
取付手段３３は、左右各サポートアーム１１に固定された左右一対の固定ブラケット３４と、上部カバー３１の上面に固定された左右一対の可動ブラケット３５と、これら固定ブラケット３４と可動ブラケット３５とを締結して連結するボルト３６とを有する。
左右各可動ブラケット３５には爪軸１３の軸心を中心とする円弧状の長孔３７が前後一対形成され、前記ボルト３６を、前記各長孔３７に通して固定ブラケット３４に形成されたネジ孔に螺合させることにより、可動ブラケット３５が固定ブラケット３４に連結される。
【００１５】
そして、前記ボルト３６による締結を緩めることによりロータリ機枠１２に対して可動ブラケット３５と共にロータリカバー１０が爪軸１３を中心として回動可能とされ、前記ボルト３６を締め付けることにより、ロータリカバー１０が任意の回動位置でロータリ機枠１２に対して固定されるように構成されている。
前記可動ブラケット３５には第２の機枠３８が固定され、この第２の機枠３８に畝整形器５とマルチフィルム敷設装置６とが設けられており、ロータリ機枠１２に対して、第２の機枠３８と畝整形器５とマルチフィルム敷設装置６とが爪軸１３を中心として上下に揺動自在で且つ任意の揺動位置で固定可能に支持されている。
【００１６】
第２の機枠３８は、前記ロータリカバー１０の上部カバー３１の後方側に該上部カバー３１の後縁に沿って左右方向に配置された第１枠体３９と、左右可動ブラケット３５から後方に突出する第２枠材と、この第２枠体４０の後部から後下方に突出する第３枠体４１と、第２枠体４０の後部から上方に突出する第４枠体４２とを有する。
第１枠体３９は、角パイプ等によって構成され、左右の可動ブラケット３５の後部に溶接等によって連結されている。
第２枠体４０は、左右各可動ブラケット３５の後部にボルト等によって固定された左右一対の側枠材４３と、これら左右側枠材４３の後端側を連結する連結枠材４４とから主構成されている。
【００１７】
なお、第２枠体４０の側枠材４３は第１枠体３９にも固定されていてもよい。
第３枠体４１は、第２枠体４０の左右各側枠材４３の後部から後下方に突出する左右一対の側枠材４６と、左右方向に配置されていて左右側枠材４６の後端側に溶接等によって連結された横枠材４７とから主構成されている。
第４枠体４２は、第２枠体４０の後部から上方に延出する縦枠部４８と、この縦枠部４８の上端から後方に延出する横枠部４９とからＬ字形に形成されている。
第１枠体３９の下面には、ロータリ耕耘部９の後方側に配置され且つロータリ耕耘部９の左右方向に亘って形成されていて、ロータリ耕耘部９で耕耘されて後方に放てきされる土を受けると共に左右方向中央側に案内するガイド板５０が固定されている。
【００１８】
畝整形器５はガイド板５０の後方で且つロータリ耕耘部９の左右方向中央側に配置されていて、ガイド板５０に固定されている。
ガイド板５０の畝整形器５に対応する部分は切り欠かれていて、ロータリ耕耘部９で耕耘された土がガイド板５０によって受け止められると共に畝整形器５へとガイドされ、該畝整形器５によって畝Ｒが整形される。
マルチフィルム敷設装置６は、マルチフィルムＦが巻回されたフィルムロール５１を左右方向の軸心回りに回転自在に支持するロールホルダ５２と、畝Ｒの左右両側においてフィルムロール５１から巻き出されたマルチフィルムＦのすそを押さえてマルチフィルムＦの巻き出しを助けるフィルム押え輪５３と、マルチフィルムＦの左右両側のすそを覆土する覆土器５４とをそれぞれ左右一対有すると共に、畝Ｒの頂部側においてフィルムロール５１から巻き出されたマルチフィルムＦを押さえて畝ＲにマルチフィルムＦを沿わせるフィルム押えロール５５と、このフィルム押えロール５５とフィルムロール５１との間に配置されてフィルムロール５１から巻き出されたマルチフィルムＦをガイドするフィルムガイド５６とを備えており、これらのマルチフィルム敷設装置６を構成する部材はそれぞれ支持体を介して第２の機枠３８に取り付けられている。
【００１９】
前記第２枠体４０の左右各側枠材の上端側前部に軸受５７が固定され、この軸受５７に左右方向の軸心を有する筒体（本実施の形態では六角筒体）からなる回動部材５８が軸心回りに回動自在に支持されている。
この回動部材５８の左右両側には、該回動部材５８と一体回動するアーム５９が該回動部材５８から後方側に突出状に設けられ、この左右各アーム５９の後端側には左右方向の軸心を有する枢軸６０が設けられている。
一方、畝整形器５の左右両側には、畝Ｒの左右両側を転動してロータリ４の耕深を決定するゲージ輪６２（ゲージ部材）が配置され、この左右各ゲージ輪６２は、取付部材６３の下部に回転支軸６４を介して左右方向の軸心廻りに回動自在に取り付けられ、この取付部材６３の上部には左右方向で同じ側にある前記アーム５９の枢軸６０が軸心回りに回動可能に挿通する挿通孔６５が形成されている。
【００２０】
また、前記回転支軸６４にはリンク６６の一端側が枢支連結され、該リンク６６の他端側は、ガイド板５０の背面下端側に設けられた支持部材６７に左右方向の軸心を有する支軸６８を介して枢支連結されている。
また、回動部材５８の左右方向中央側には、該回動部材５８と一体回動するレバー６９が該回動部材５８から上方側に突出状に設けられ、このレバー６９の先端側と前記トップマスト１３とにわたって、ゲージ輪６２の高さを調整する高さ調整装置７１が設けられている。
【００２１】
この高さ調整装置７１は、長さ方向に伸縮自在な伸縮ロッド７２と、該伸縮ロッド７２とレバー６９とを連動連結する連動部材７３とを有する。
伸縮ロッド７２は、トップマスト１３に左右方向の軸心廻りに回動自在に支持されたカバー筒７４と、操作ハンドル７５と、カバー筒７４に対して長さ方向に移動自在な可動杆７６と、前記カバー筒７４内に収納されていて前記可動杆７６と螺合し且つ前記操作ハンドル７５によって長さ方向の軸心回りに回転されるネジ杆とを有し、操作ハンドル７５を回すことにより可動杆７６が長さ方向に移動して伸縮するように構成されている。
【００２２】
可動杆７６の先端側は連動部材７３の一端側にピン７７を介して左右方向の軸心廻りに回動自在に枢支連結され、連動部材７３の他端側は前記レバー６９の先端側に設けられた左右方向の軸心を有するピン７８に軸心回りに回動自在に枢支連結され、このレバー６９の先端側に設けられたピン７８が第１の係合部７８とされ、この第１の係合部７８はレバー６９から右方に突出している。
前記構成の高さ調整装置７１にあっては、伸縮ロッド７２を伸縮させることによりレバー６９の先端側が押し引きされて回動部材５８が回動し、該回動部材５８が回動することにより左右アーム５９が上下に揺動して取付部材６３を介してゲージ輪６２の上下方向の位置が調整可能とされており、ゲージ輪６２の高さを調整することにより、ロータリ４の耕深が変更される。
【００２３】
また、本実施の形態のマルチャ１にあっては、高さ調整装置７１と第２の機枠３８とを連結して前記回動部材５８の回動を規制する帯板状のロックプレート７９が備えられている。
このロックプレート７９は、図４に示すように、長さ方向の一端側、他端側及び中間部に板厚方向に貫通する係合孔８０Ａ，８０Ｂ，８０Ｃが形成されており、この係合孔８０Ａ，８０Ｂ，８０Ｃは、前記第１の係合部７８のレバー６９から右方に突出した部分に左右方向の軸心廻りに回動自在に嵌合可能とされている。
【００２４】
一方、第２の機枠３８の第４枠体４２の縦枠部４８の下部後面側には、ロックプレート７９の係合孔８０Ａ，８０Ｂ，８０Ｃが左右方向の軸心廻りに回動自在に嵌合可能な第２の係合部８２が設けられている。
この第２の係合部８２は本実施の形態では左右方向の軸心を有するピンによって構成され、縦枠部４８に溶接等によって該縦枠部４８から右方に突出状に固定されている。
前記ロックプレート７９の一端側係合孔８０Ａを第１又は第２の係合部７８，８２に嵌合すると共に、他端側係合孔８０Ｂを第２又は第１の係合部７８，８２に嵌合することにより、高さ調整装置７１と第２の機枠３８とが連結されて回動部材５８の回動が規制される（なお、第１、第２の係合部７８，８２間の距離が、一端側、他端側の係合孔８０Ａ，８０Ｂ間の距離に合わない場合は、伸縮ロッド７２を伸縮させて第１の係合部７８と第２の係合部８２との距離を、一端側の係合孔８０Ａと他端側の係合孔８０Ｂとの距離に合わせる）。
【００２５】
この状態で、前記取付手段３３の固定ブラケット３４と可動ブラケット３５との締結を緩めて、伸縮ロッド７２を伸縮させると、ボルト３６が長孔３７内を移動して第２の機枠３８が爪軸１３回りに上下に揺動すると共に、第２の機枠３８の上下揺動に伴って畝整形器５及びマルチフィルム敷設装置６も上下に揺動する。
これによって、畝整形器マルチフィルム敷設装置６の畝Ｒ（圃場、地面）に対する姿勢が変更調整自在とされている。
なお、伸縮ロッド７２を伸張させていくと、第１の係合部７８と第２の係合部８２との距離が、一端側の係合孔８０Ａと他端側の係合孔８０Ｂとの距離に対して極端に短くなる場合があるが、その場合は、一端側又は他端側の係合孔８０Ａ，８０Ｂを第１の係合部７８（又は第２の係合部８２）に嵌合し、中間部の係合孔８０Ｃを第２の係合部８２（又は第１の係合部７８）に嵌合する。
【００２６】
前記第４枠体４２の縦枠部４８の前面側上部には、不使用時にロックプレート７９を収納すべく該ロックプレート７９を取り付けるための支持部８３が溶接等によって固定され、この支持部８３は、本実施の形態では左右方向の軸心を有するピンから構成され、縦枠部４８から左方に突出している。
前記ロックプレート７９の一端側の係合孔８０Ａと中間部の係合孔８０Ｃとの間で且つ一端側係合孔８０Ａ寄りには被支持孔８４が板厚方向貫通状に形成されていて、ロックプレート７９の不使用時に、前記被支持孔８４を前記支持部８３に外嵌することにより、ロックプレート７９が左右方向の軸心廻りに揺動自在に支持される。
【００２７】
したがって、ロックプレート７９は、第２の機枠３８の上下揺動に伴って該第２の機枠３８に対して相対的に揺動する。
なお、ロックプレート７９はベータピン等の抜止め部材８５によって支持部８３から抜け止めされる。
また、第４枠体４２の縦枠部４８の前面側下部には、支持部８３に支持された状態のロックプレート７９の他端側係合孔８０Ｂに対応する位置に位置する指示部材８６が設けられている。
【００２８】
この指示部材８６は、本実施の形態では左右方向の軸心を有するピンから構成され、縦枠部４８から左方に突出するように該縦枠部４８に溶接等によって固定されていて、支持部８３に支持された状態のロックプレート７９の他端側係合孔８０Ｂを挿通する。
この指示部材８６の径は他端側係合孔８０Ｂの径よりも一回り小さく、指示部材８６と他端側係合孔８０Ｂ内周面との間に隙間が形成される。
本マルチャ１にあっては、前記ロックプレート７９が、マルチフィルム敷設装置６の畝Ｒ（圃場、地面）に対する姿勢が適正姿勢であるか否かを指示するインジケータに兼用されており、本実施の形態にあっては、指示部材８６（の軸心）が他端側係合孔８０Ｂの中心に略一致した状態で、マルチフィルム敷設装置６の畝Ｒに対する姿勢が適正姿勢であることを示している。
【００２９】
また、指示部材８６が係合孔８０Ｂの前端側に接当している場合は、マルチフィルム敷設装置６が適正姿勢から下がっていることを示しており、この場合は前述した調整方法により、ロータリ機枠１２に対して第２の機枠３８を上方側に揺動してマルチフィルム敷設装置６の姿勢を調整する。
また、指示部材８６が係合孔８０Ｂの後端側に接当している場合は、マルチフィルム敷設装置６が適正姿勢から上がっていることを示しており、この場合はロータリ機枠１２に対して第２の機枠３８を下方側に揺動してマルチフィルム敷設装置６の姿勢を調整する。
【００３０】
なお、ロックプレート７９の他端側係合孔８０Ｂと中間部の係合孔８０Ｃとの間には、インジケータ（７９）による指示を表示する説明書きが貼り付けられている。
なお、本発明は、前述した実施形態のマルチャ１に採用されることに限定されることはなく、マルチフィルム敷設装置６とその他の装置との複合機械に採用されてもよい。
【図面の簡単な説明】
【００３１】
【図１】マルチャをトラクタに装着した状態の側面図である。
【図２】マルチャの一部の側面図である。
【図３】マルチャの一部の斜視図である。
【図４】（ａ）はインジケータの側面図、（ｂ）はインジケータの正面断面図である。
【符号の説明】
【００３２】
２    トラクタ（走行体）
４    ロータリ
５    畝整形器
６    マルチフィルム敷設装置
１２    ロータリ機枠（第１の機枠）
３８    第２に機枠
６２    ゲージ輪（ゲージ部材）
７１    高さ調整装置
７８    第１の係合部
７９    ロックプレート（インジケータ）
８０Ａ  係合孔
８０Ｂ  係合孔
８２    第２の係合部
８３    支持部
８６    指示部材
Ｆ    マルチフィルム
【図１】
2006197820.tif 000003
【図２】
2006197820.tif 000004
【図３】
2006197820.tif 000005
【図４】
2006197820.tif 000006